(57)【要約】 【課題】  特にカラオケルームにおけるカラオケ装置と多機能携帯端末からなるカラオケリモコンとの間のペアリング処理をカラオケ演奏を阻害することなく、随時、容易に行えるようにする。【解決手段】  有効なセッションＩＤを含むカラオケ識別情報を、例えばカラオケ利用伝票に該当情報をＱＲコード（登録商標）で印字するなど、カラオケ装置の映像出力端子に接続された表示装置、及び、既に当該セッションＩＤを取得済のリモコン端末装置、以外の出力手段に出力した。【選択図】図５
2015064506.tif 000002
【特許請求の範囲】
【請求項１】
それぞれに表示装置が接続された複数のカラオケ装置がネットワークで接続されてなり、さらに前記ネットワークを経由して、個々の前記カラオケ装置とカラオケ装置を操作する任意数のリモコン端末装置とを接続し、利用単位を特定するセッションで対応付けるネットワークカラオケシステムであって、
当該カラオケ装置を特定するためのカラオケ装置ＩＤと当該カラオケ装置におけるその時点で有効なセッションＩＤを含むカラオケ識別情報を出力する、カラオケ装置の映像出力端子に接続された表示装置、及び、既に当該セッションＩＤを取得済のリモコン端末装置、以外の出力手段を有することを特徴とするネットワークカラオケシステム。
【請求項２】
前記出力手段は、使用するカラオケルーム情報、当該カラオケルームと当該カラオケ装置の利用開始時間及び／又は利用限度時間を特定する情報及び、カラオケ識別情報を出力することを特徴とする前記請求項１記載のネットワークカラオケシステム。
【請求項３】
前記カラオケ識別情報は少なくとも機械読み取りコードで出力されることを特徴とする前記請求項１乃至２記載のネットワークカラオケシステム。
【請求項４】
前記出力手段は、プリンターに印字することを特徴とする前記請求項１乃至３記載のネットワークカラオケシステム。
【請求項５】
前記出力手段は、カラオケ装置に内蔵される表示手段であることを特徴とする前記請求項１乃至３記載のネットワークカラオケシステム。
【請求項６】
複数のカラオケ装置がネットワークで接続されてなり、さらに前記ネットワークを経由して、個々の前記カラオケ装置とカラオケ装置を操作する任意数のリモコン端末装置とを接続し、利用単位を特定するセッションで対応付けるネットワークカラオケシステムで出力されるカラオケルーム利用伝票であって、
当該カラオケ装置を特定するためのカラオケ装置ＩＤと当該カラオケ装置におけるその時点で有効なセッションＩＤを含むカラオケ識別情報およびカラオケルーム情報、利用開始時間情報と紐付けられたカラオケルーム利用単位情報を出力する出力手段から出力情報が印字されていることを特徴とするカラオケルーム利用伝票。
【請求項７】
前記カラオケルーム利用伝票には、使用するカラオケルーム情報、当該カラオケルームと当該カラオケ装置の利用限度時間を特定する情報及び、前記カラオケ識別情報が印字されていることを特徴とする前記請求項６記載のカラオケルーム利用伝票。
【請求項８】
前記カラオケ識別情報は少なくとも機械読み取りコードで出力されることを特徴とする前記請求項６乃至７記載のカラオケルーム利用伝票。
【発明の詳細な説明】
【技術分野】
【０００１】
カラオケのリモコンとして使用される多機能携帯端末とカラオケ装置との間のペアリングをカラオケ演奏中でも容易にしたネットワークカラオケシステムに関する。
【背景技術】
【０００２】
最近のカラオケシステムは、高機能化が著しく、便利になって来ている反面、操作が複雑になってきており、これに伴いリモコンも高機能化してきている。
特にカラオケルームに設置してある専用のリモコンは、ボタン類が多く使い方がよくわからないなどの問題があった。そのため、使い慣れていないとボタン操作に時間がかかって歌う時間が少なくなってしまうことも多かった。
【０００３】
また、通常カラオケルームには、リモコンが少数しかないのが一般的であり、他の人が選曲している間は、リモコンが使用できないという不便さがあった。
【０００４】
また、店に設置してあるリモコンは様々な人が操作するため、必ずしも清潔とはいえないという一面もあった。
【０００５】
一方で、誰もが携帯電話を持つ時代となり、さらにスマートホン等の普及により、これら携帯電話に各種ソフトウエアを入れて楽しむ人も増えている。スマートホンのソフトウエア開発環境も充実してきており、開発者も増えてきている。
【０００６】
そこで、使い慣れた自分の多機能携帯端末等を使ってカラオケの操作を行いたいという要望が生じてきた。またカラオケの専用リモコンは業務用のため高価なものであり、カラオケ店としても、専用リモコンを設置する必要がなくなれば経費の節約になり、またリモコンの盗難防止、保守といった管理作業もなくなるため店にも喜ばれる。
【０００７】
そこで、顧客の多機能携帯端末等をカラオケのリモコンとして使用する方法について各社から提案されている他、本出願人からもその具体的方法に関して出願されている。（非特許文献１及び特許文献１及び２参照）
【０００８】
しかし、ここで顧客が所有する携帯端末を近距離無線方式によりカラオケのリモコンとして使用させた場合、他の部屋のカラオケ機器を制御してしまわないように、顧客の携帯電話が制御できるカラオケ機器を特定しておく必要がある。
また、たとえばその顧客の使用時間終了後などに店外から携帯電話を操作することにより、店内のカラオケ装置を制御されてしまう虞がある。（図３参照）
【先行技術文献】
【特許文献】
【０００９】
【特許文献１】特願２０１２−２２６２００号
【特許文献２】特願２０１３−１８８９５３号
【非特許文献】
【００１０】
【非特許文献１】iPhone アプリ「デンモクmini」（第一興商）「ＤＡＭとつなぐ」操作方法について
【発明の概要】
【発明が解決しようとする課題】
【００１１】
非特許文献１は、携帯端末をカラオケ装置のリモコンとして使用するためにペアリングの方法を説明するものである。これによると、特定のリクエスト番号をカラオケ機器本体、あるいは専用リモコンで楽曲予約と同様に予約入力することで、ペアリングに必要な情報をカラオケ装置に接続された表示装置に表示させ、これを多機能携帯端末で読み取ることでペアリングが実現することとなっている。既に予約が複数入っている場合には、予約曲が全て演奏されたのちに表示されることになり、その間はペアリングが実現しないこととなる。あるいは、すぐに画面にペアリング情報を表示するためには、現在演奏中のカラオケを中断し、割り込み予約をして表示させることとなり、いずれにせよ、カラオケの楽しみを阻害する要素が含まれることとなる。
【００１２】
特許文献１は、カラオケ装置と多機能携帯端末のペアリングをセッションに対応づけて実現する方法に関するものである。これによると、ペアリング情報の表示に予約の手順を踏まないものの、カラオケ端末に接続された表示装置にペアリング情報を表示する点では非特許文献１の事例と同様であり、さらにペアリング情報を表示するタイミングとして、セッションを更新した直後を想定しており、表示のためにはそれまでに予約されている予約情報なども消去される仕様となっている。
【００１３】
特許文献２は、特許文献１での課題を解消する方法として、既にペアリング済の多機能携帯端末から、ペアリングに必要な情報を取得する方法に関するものである。運用上の課題は概ね解消されているようではあるが、実際には、ペアリング済の多機能携帯端末の所有者が歌唱中であることも想定され、ペアリング情報を取得しようとする利用者としては、やはり歌唱の終了までペアリング情報の取得を待つ必要がある。
【００１４】
カラオケのリモコンとして動作する顧客の多機能携帯端末等とカラオケ装置との間のペアリングを、顧客の入室から退室までの間の利用単位（セッション単位）で利用できるようにして、ネットワーク管理を推進しようとしたが、カラオケ利用者は、必ずしも一度に集合せず、後から何名かが合流することがある。
また、特に多機能携帯端末が何らかの障害で一旦ペアリングが解除されることがある。その際、再度ペアリング処理を実行しなければならない。
【００１５】
その際、カラオケ演奏を一旦中断して、表示装置にＱＲコード（登録商標）を再度表示させて、随時ペアリング処理を実行することは、サービス業としてのカラオケルーム運用上好ましくない。
また、既ペアリング済の多機能携帯端末からペアリング情報を取得する場合であっても、ペアリング済の多機能携帯端末の所有者に、情報を表示させる手間が発生し、該当者が歌唱中の場合などはこれを待つ必要がある。
本発明は、これらの点に鑑み、カラオケ演奏中であっても、カラオケ演奏の邪魔をすることなく途中参加者の多機能携帯端末をカラオケのリモコンとして速やかに使えるようにするネットワークカラオケシステムを提案することを目的とする。
【課題を解決するための手段】
【００１６】
上記目的を達成するため本発明の請求項１は、ネットワークカラオケシステムにおいて、複数のカラオケ装置がネットワークで接続されてなり、さらに前記ネットワークを経由して、個々の前記カラオケ装置とカラオケ装置を操作する任意数のリモコン端末装置とを接続し、利用単位を特定するセッションで対応付けるネットワークカラオケシステムとし、当該カラオケ装置を特定するためのカラオケ装置ＩＤと当該カラオケ装置におけるその時点で有効なセッションＩＤを含むカラオケ識別情報を出力する、カラオケ装置の映像出力端子に接続された表示装置、及び、既に当該セッションのＩＤを取得済のリモコン端末装置、以外の出力手段を有してなるものである。
【００１７】
また、請求項２は、出力手段は、使用するカラオケルーム情報、当該カラオケルームと当該カラオケ装置の利用開始時間及び／又は利用限度時間を特定する情報及び、利用可能なセッションＩＤを含むカラオケ識別情報を出力するようにしたものである。
【００１８】
さらに請求項３では、セッションＩＤ、カラオケ識別情報は少なくとも機械読み取りコード、例えばＱＲコード（登録商標）で出力されるようにした。
【００１９】
請求項４は、出力手段は、受付に設置されたプリンターで印字するようにしたものである。
【００２０】
請求項５は、出力手段を、カラオケ装置本体に内蔵した表示手段で構成したものである。
【００２１】
本発明の請求項６では、カラオケルーム利用伝票として構成しており、カラオケ装置を特定するためのカラオケ装置ＩＤと当該カラオケ装置におけるその時点で有効なセッションＩＤを含むカラオケ識別情報およびカラオケルーム情報、利用開始時間情報と紐付けられたカラオケルーム利用単位情報を出力する出力手段から出力情報が印字されているカラオケルーム利用伝票とした。
【００２２】
請求項７は、カラオケルーム利用伝票には、使用するカラオケルーム情報、当該カラオケルームとカラオケ装置の利用限度時間を特定する情報及び、利用可能なセッションＩＤ
を含むカラオケ識別情報が印字されているようにしたものである。
【００２３】
また、請求項８は、カラオケルーム利用伝票に、セッションＩＤ、カラオケ識別情報が少なくとも機械読み取りコード、例えばＱＲコード（登録商標）で出力されるようにしたものである。
【発明の効果】
【００２４】
本発明によると、カラオケ利用メンバーの何名かが遅れて入店したり、再度ペアリングを行う場合があっても、各自携帯する多機能携帯端末とカラオケ装置とのペアリングに際し、カラオケ装置の映像出力端子に接続された歌詞等を表示している表示装置にではなくカラオケ装置に内蔵された表示手段に表示された、あるいは、カラオケルーム利用伝票に印字されたペアリング情報を読み取ることで、ペアリング処理がカラオケ演奏を中断することなく簡単に行える。
【図面の簡単な説明】
【００２５】
【図１】本発明の一実施例を示すネットワーク接続を示す説明図。
【図２】本発明の一実施例を示す運用フローを示す説明図。
【図３】短距離無線通信手段によるネットワークを説明する概念説明図。
【図４】本発明の一実施例を示すカラオケルームの受付カウンタ説明図。
【図５】本発明の一実施例を示すカラオケルーム利用伝票の説明図。
【図６】本発明の一実施例を示す運用フローを示す説明図。
【発明を実施するための形態】
【００２６】
本発明の実施例では、カラオケ装置１のリモコンとなる多機能携帯端末４による制御を利用単位で許可するためのセッションＩＤを更新・発行することで、セッションの異なる利用者の多機能携帯端末からは当該カラオケ装置の制御ができなくしている。
セッションＩＤの更新は、発行から一定時間を以て行ったり、カラオケ利用終了時刻を以て行うほか、カラオケ装置にセッション切替受付手段を設けて、カラオケ装置の利用終了時に手動で行うなどの方法が考えられる。
【００２７】
次に図１のネットワーク接続図によって、本発明の多機能携帯端末４とカラオケ装置１の接続技術を説明する。
店舗内にはセンターからの通信回線と接続するルータ５があり、ルータ５にはアクセスポイント８を経由して無線の受付端末装置２と、カラオケ室のカラオケ装置１が接続されている。またリモコンとなる多機能携帯端末４がアクセスポイント９を経由してルータ５に接続されている。
顧客はカラオケ利用開始時に、セッションＩＤを含むカラオケ識別情報を受け取り自ら保有する多機能携帯電話４に読み込ませる。その上で顧客は、自分の多機能携帯端末４と当該カラオケ装置１との間でペアリングを行い、当該多機能携帯端末４は当該カラオケ装置１専用のリモコン装置となり、当該カラオケ装置１を制御できるようになる。
カラオケの利用が終了したときには、店員はカラオケ室のカラオケ装置１または受付端末装置２を操作することにより、セッションＩＤを更新し、顧客の多機能携帯端末４とカラオケ装置１とのペアリングはリセットされるので、もはや顧客の多機能携帯端末４では、店のカラオケ装置１を制御できなくなる。
【００２８】
特に、本発明では受付端末装置２に接続された出力手段として印字装置１３が設けられ、これから使用するカラオケ装置１とネットワークを通じて接続されて、セッションＩＤに基づくコード情報をＱＲコード（登録商標）で印字できるようになっている。印字されたカラオケ利用伝票１４には、これから使用するカラオケルーム情報２１、カラオケルーム利用単位情報として、例えば利用限度時間２２、カラオケ識別情報としての機械読み取りコード２３が印字されるようになっている。
【００２９】
カラオケ利用伝票１４は、このように印字装置１３で印字しておくことでカラオケ装置での歌唱が始まってしまった場合に、歌唱を妨げず、ペアリングをしていないリモコン装置（多機能携帯端末４）がこのカラオケ利用伝票１４から、ペアリング情報をいつでも取得できる。
【００３０】
次に図２で、運用フローを示す説明図に基づいて本発明のネットワークカラオケシステムにおけるカラオケ装置１の利用状態を説明する。
（ステップ５１）カラオケ店開店時、カラオケ装置１の電源が投入される。
（ステップ５２）セッションＩＤが生成され、顧客の入店を待つ初期状態（ステップ５３）となる。
（ステップ５４）顧客によるカラオケ装置１の利用が開始される際に、顧客が使用する「セッションＩＤ」［カラオケ識別情報］が通知される。これはたとえばカラオケ装置１に接続された表示装置６にＱＲコード（登録商標）のような形で表示される。
（ステップ５５）顧客は自分の多機能携帯端末４のカメラ機能などでＱＲコード（登録商標）等を撮影し使用するカラオケ装置１の情報を受け取る。
（ステップ５６）顧客は自分の多機能携帯端末４を操作することにより、多機能携帯端末４とカラオケ装置１とのペアリングを実施し、カラオケ装置１と顧客の多機能携帯端末４が紐付く。
（ステップ５７）ペアリングの完了により、顧客の多機能携帯端末４を一時的に割り当てられたカラオケ装置１の専用リモコンとすることができ、カラオケ装置１の利用が可能となる。
（ステップ５８）顧客のカラオケ装置１の利用が終了し、退室する。
（ステップ５９、６２）閉店の場合はここでカラオケ装置１の電源をオフにする。
（ステップ５９、６１）閉店でない場合はセッションが終了（セッションＩＤは無効にされる）し、同時に顧客の多機能携帯端末４とカラオケ装置１とのペアリングは解除され、これ以降は顧客の多機能携帯端末４ではカラオケ装置１の操作は不可能となり、また、新たなセッションＩＤが生成され、次の顧客入室を待機する初期状態（ステップ５３）となる。
【００３１】
図２のフローでは、セッションＩＤを含むカラオケ識別情報を、利用を予定するカラオケ装置１に接続された表示装置６に機械読み取り用のコード情報として出力するようにしていたが、図４、図５では、ネットワークを経由して受付端末装置２で発行するカラオケ利用伝票１４にカラオケ識別情報を印字する実施例を示している。これにより顧客が多機能携帯端末４にあらかじめ設けられている公知の各種のバーコード読み取り装置で読み取れるものであり、以下にそのフローを図６に基づいて説明する。
【００３２】
（ステップ１０１）カラオケ店開店時、受付端末装置２の電源が投入される。
（ステップ１０２）受付で利用者の利用時間を聞き、利用時間を入力する。
（ステップ１０３）受付担当者は、空いているカラオケルームを指定する。
（ステップ１０４）指定したカラオケルーム１２に設置しているカラオケ装置１の本利用に対するセッションＩＤをネットワークを介して受信する。
（ステップ１０５）受付端末装置２に接続された印字装置１３でカラオケルーム情報２１、利用限度時間を特定する情報２２、セッションＩＤなどが含まれたＱＲコード（登録商標）からなる機械読み取りコード２３を印字したカラオケ利用伝票１４を発行する。
（ステップ１０６）受付を継続する場合はステップ１０２に戻る。終了する場合は、ステップ１０８を経て閉店する。
【００３３】
上記実施例において、利用限度時間を特定する情報２２は、「終了予定時間」を表示したが、必ずしも「終了予定時間」ではなく、「利用開始時間」であっても良い。例えば利用者がカラオケルーム１２を２時間で予約した際、「利用開始時間」が表示されていれば、利用者は、それにより利用限度時間２２を特定できることになる。
【００３４】
さらに、切替受付手段によるセッションＩＤは、各カラオケ装置１側で生成して、受付端末装置２間で通信をしながら共有しているが、このセッションＩＤを受付端末装置２で生成して、各カラオケ装置１に供給しても良いことはいうまでもない。
【００３５】
本発明による請求項５による実施例を説明すると、通常カラオケは、カラオケ装置１の映像出力端子に接続された大画面の表示装置６で背景映像や歌詞などを表示して演奏するようになっている。そこで、カラオケ演奏を妨げないように、カラオケ装置１の外周部分に小型の表示手段からなる出力手段を設け、随時必要なタイミングで、有効なセッションＩＤを含むカラオケ識別情報を出力するようにしてもよい。こうすることで、カラオケ演奏を妨げることなくカラオケ装置１と多機能携帯端末４とのペアリング処理が随時簡単に行える。
【産業上の利用可能性】
【００３６】
カラオケの利用に際して、特定のカラオケ装置の利用単位毎に個別のセッションＩＤが発行され、ペアリングを制御するので、確実に機器の制御が行え、誤って、あるいは故意に接続するべきカラオケ装置以外のカラオケ装置を制御することがなく、また対象のカラオケ装置であっても正規の利用単位が終了した後には制御することができずセキュリティも確実に保たれる。特に本発明では、ペアリングのためのセッションＩＤを含むカラオケ識別情報が、ネットワークカラオケシステムによる印字装置やカラオケルーム利用伝票、あるいは、カラオケ装置に内蔵された表示手段によって、提供されるので、カラオケ装置とカラオケリモコンとなる多機能携帯端末とのペアリング処理が、カラオケ利用（演奏）が始まったあとでも随時容易に行え、利用者の利便性を高めたカラオケシステムが提供できる。
【符号の説明】
【００３７】
１…カラオケ装置
２…受付端末装置
４…多機能携帯端末
５…ルータ
６…表示装置
７…ハブ
８…アクセスポイント
９…アクセスポイント
１１…店舗
１２…カラオケルーム
１３…印字装置
１４…カラオケ利用伝票
２１…カラオケルーム情報
２２…利用限度時間
２３…機械読み取りコード
【図１】
2015064506.tif 000003
【図２】
2015064506.tif 000004
【図３】
2015064506.tif 000005
【図４】
2015064506.tif 000006
【図５】
2015064506.tif 000007
【図６】
2015064506.tif 000008